(57)【要約】【課題】  ウエット性能を犠牲にせずに、パターンノイズ及び操縦安定性を確保することのできる空気入りタイヤを提供すること。【解決手段】  トレッド中央側に急傾斜溝１６を配し、その外側に緩傾斜溝１４を配置することで接地面内の水をスムーズに排水でき、高いウエット性能が得られる。タイヤ赤道面ＣＬの一方側の緩傾斜溝１４と他方側の緩傾斜溝１４とが周方向に位相差を設けて配置されると共に、タイヤ赤道面ＣＬの一方側の急傾斜溝１６と他方側の急傾斜溝１６とが周方向に位相差を設けて配置されているので、パターンノイズを良化できる。急傾斜溝１６のタイヤ赤道面ＣＬ側端部は、陸部２２内で終端し、かつタイヤ赤道面ＣＬの左右で１／２Ｐ２の位相差を設けて配置されているので、トレッド１２のセンター部分の剛性が高く、かつ均一となり、高い操縦安定性が得られる。【選択図】        図１
2005161878.tif 000002
【特許請求の範囲】
【請求項１】
トレッド幅をタイヤ幅方向に３等分したときのトレッドの中央部分をトレッド中央域、前記トレッド中央域の両側をトレッド両側域としたときに、前記トレッドのタイヤ赤道面両側に、少なくとも前記トレッド中央域に配置されタイヤ周方向に対して傾斜して延びると共に、タイヤ赤道面側端部が陸部内で終端する急傾斜溝と、少なくとも前記両側区域に配置されトレッド接地端に向けて前記急傾斜溝と同方向に傾斜すると共にタイヤ周方向に対する角度が前記急傾斜溝よりも大きく設定された緩傾斜溝と、を備え、
前記急傾斜溝の周方向配置個数に対し、前記緩傾斜溝の周方向配置個数が２倍に設定されると共に、前記急傾斜溝、及び前記緩傾斜溝がそれぞれ周方向に略等間隔で配置され、
タイヤ赤道面の一方側の前記緩傾斜溝と他方側の前記緩傾斜溝とが、前記緩傾斜溝の周方向ピッチの１／２ピッチ分だけ互いに周方向にずらして配置され、
タイヤ赤道面の一方側の前記急傾斜溝と他方側の前記急傾斜溝とは、互いに周方向にずらして配置され、タイヤ赤道面側端部が前記急傾斜溝の周方向配設ピッチの１／２ピッチ分だけ互いに周方向にずらされている、ことを特徴とする空気入りタイヤ。
【請求項２】
タイヤ赤道面を挟んで一方側の前記急傾斜溝と他方側の前記急傾斜溝とは長さが異なる、ことを特徴とする請求項１に記載の空気入りタイヤ。
【請求項３】
前記トレッド中央域には、タイヤ周方向に連続する陸部が設けられ、
前記急傾斜溝は、タイヤ周方向に対する角度が４５°以下に設定されている、
ことを特徴とする請求項１または請求項２に記載の空気入りタイヤ。
【請求項４】
前記トレッドのタイヤ赤道面両側には、タイヤ赤道面からトレッド接地端へ向けてトレッド半幅の４０〜６０％の領域内にタイヤ周方向に延びる周方向溝が形成されている、ことを特徴とする請求項１乃至請求項３の何れか１項に記載の空気入りタイヤ。
【請求項５】
前記急傾斜溝は、タイヤ赤道面側端部付近が溝長手方向中間部分よりも幅広に設定されている、ことを特徴とする請求項１乃至請求項４の何れか１項に記載の空気入りタイヤ。
【発明の詳細な説明】
【技術分野】
【０００１】
本発明は空気入りタイヤに係り、特に、ウエット性能を犠牲にせずに、パターンノイズ及び操縦安定性を確保することのできる空気入りタイヤに関する。
【背景技術】
【０００２】
夏用タイヤにおいては、タイヤ周方向に延びるストレート主溝と、タイヤ周方向に対して傾斜する傾斜溝との組み合わせによるブロックパターンが一般的である（例えば、特許文献１参照。）。
【０００３】
このようなパターンにおいて、ウエットハイドロプレーニング性能を良くするには、溝幅を広げるなど、溝面積（ネガティブ）を増やす方法が一般的である。
【０００４】
また、トレッド中央部の傾斜溝をハイアングル（タイヤ周方向に対する角度を小）にすることにより排水性の向上を図ることが知られている（例えば、特許文献２〜４）。
【０００５】
また、傾斜溝を周方向溝に開口しないで寸止めすることで、低ノイズ化が図れる。
【０００６】
また、トレッド左右の互いに傾斜溝に半ピッチの位相差を設けて低ノイズ化を図れることが一般的である。
【０００７】
また、トレッド中央部の剛性を高めることで操縦安定性が向上することが知られている。
【０００８】
さらに、ブロックパターンでは、ヒール・アンド・トゥ摩耗を発生することがあり、このヒール・アンド・トゥ摩耗を抑制するために、ラグ溝を閉じてリブを配置することが一般的である（例えば、特許文献５参照。）。
【特許文献１】特開平５−２４６２１４号公報
【特許文献２】特開平７−９６７１７号公報
【特許文献３】特開平５−２８６３１２号公報
【特許文献４】特開平４−２１８４１０号公報
【特許文献５】特開昭６２−１５８０７号公報
【発明の開示】
【発明が解決しようとする課題】
【０００９】
しかしながら、溝面積を広げると一般に排水性は向上するが、単に溝幅を広げるだけでは、ブロックの剛性が不足したり、溝内エアーボリュームの増加によりパターンノイズが悪化したりする問題がある。
【００１０】
一般に陸部列は排水性のためラグ溝を設けるが、このラグ溝により連続したスムーズな接地が損なわれ、パターンノイズの発生源となることが多い。
【００１１】
一方で、切り込みの無いプレーンな陸部列（リブ）では、ウエット排水性の低下のみならず、低μ（低摩擦係数）路でのグリップ、陸部剛性の高すぎが原因の乗り心地の悪化を引き起こす場合がある。
【００１２】
また、ハイアングル系パターンは、トレッド中央のハイアングル部の剛性を確保するために、トレッド中央を両側部より少ないピッチ設定とし、低ノイズ化のためトレッド左右で半ピッチ位相をずらすのが好ましいが、図６に示すように、溝数がセンター：ショルダー＝１：２の場合、溝のセンター半ピッチ（１／２Ｐ２）ずらしはショルダーが同位相となり、図７に示すように溝のショルダー半ピッチ（１／２Ｐ１）ずらしはセンター１／４ピッチ（１／４Ｐ２）ずらしとなってしまう。
【００１３】
これらはノイズ面でも不十分であるし、図７の場合はセンター部の剛性が不均一になりやすい。
【００１４】
不均一にしないためにはトレッド左右を周方向溝で分断すればよいが、センター部の剛性低下により操縦安定性が低下して好ましくない。
【００１５】
また、センター：ショルダー＝１：３の場合、双方とも半ピッチずらしが成立するが、モールドピッチの型数が増えてしまう問題がある。
【００１６】
本発明は、上記問題を解決すべく成されたもので、ウエット性能を犠牲にせずに、パターンノイズ及び操縦安定性を確保することのできる空気入りタイヤを提供することが目的である。
【課題を解決するための手段】
【００１７】
請求項１に記載の発明は、トレッド幅をタイヤ幅方向に３等分したときのトレッドの中央部分をトレッド中央域、前記トレッド中央域の両側をトレッド両側域としたときに、前記トレッドのタイヤ赤道面両側に、少なくとも前記トレッド中央域に配置されタイヤ周方向に対して傾斜して延びると共に、タイヤ赤道面側端部が陸部内で終端する急傾斜溝と、少なくとも前記両側区域に配置されトレッド接地端に向けて前記急傾斜溝と同方向に傾斜すると共にタイヤ周方向に対する角度が前記急傾斜溝よりも大きく設定された緩傾斜溝と、を備え、前記急傾斜溝の周方向配置個数に対し、前記緩傾斜溝の周方向配置個数が２倍に設定されると共に、前記急傾斜溝、及び前記緩傾斜溝がそれぞれ周方向に略等間隔で配置され、タイヤ赤道面の一方側の前記緩傾斜溝と他方側の前記緩傾斜溝とが、前記緩傾斜溝の周方向ピッチの１／２ピッチ分だけ互いに周方向にずらして配置され、タイヤ赤道面の一方側の前記急傾斜溝と他方側の前記急傾斜溝とは、互いに周方向にずらして配置され、タイヤ赤道面側端部が前記急傾斜溝の周方向配設ピッチの１／２ピッチ分だけ互いに周方向にずらされている、ことを特徴としている。
【００１８】
次に、請求項１に記載の空気入りタイヤの作用を説明する。
【００１９】
請求項１に記載の空気入りタイヤでは、トレッド中央側に急傾斜溝、その外側に緩傾斜溝を配置した方向性パターンとしたので、接地面内の水をスムーズに排水でき、高いウエット性能が得られる。
【００２０】
また、タイヤ赤道面の一方側の緩傾斜溝と他方側の緩傾斜溝とが緩傾斜溝の周方向ピッチの１／２ピッチ分だけ互いに周方向にずらして配置され、タイヤ赤道面の一方側の急傾斜溝と他方側の急傾斜溝とが互いに周方向にずらして配置されているため、パターンノイズを良化できる。
【００２１】
なお、タイヤ赤道面の一方側の緩傾斜溝と他方側の緩傾斜溝とを緩傾斜溝の周方向ピッチの１／２ピッチ分だけ互いに周方向にずらして配置し、緩傾斜溝とこれに隣接する急傾斜溝とのタイヤ周方向の位置関係をタイヤ赤道面の左右両側で同じに設定すると、タイヤ赤道面の一方側の急傾斜溝と他方側の急傾斜溝とは、１／４ピッチずれの状態となるが、タイヤ赤道面側端部では急傾斜溝の周方向配設ピッチの１／２ピッチ分だけ互いに周方向にずらされる設定であるので、トレッドセンター部分の剛性が均一化され、高い操縦安定性が得られるようになる。
【００２２】
請求項２に記載の発明は、請求項１に記載の空気入りタイヤにおいて、タイヤ赤道面を挟んで一方側の前記急傾斜溝と他方側の前記急傾斜溝とは長さが異なる、ことを特徴としている。
【００２３】
次に、請求項２に記載の空気入りタイヤの作用を説明する。
【００２４】
請求項２に記載の空気入りタイヤでは、タイヤ赤道面を挟んで一方側の急傾斜溝の長さと他方側の急傾斜溝の長さを異ならせることで、左右のタイヤ赤道面側端部を１／２ピッチ分だけ互いに周方向にずらことを可能としている。
【００２５】
請求項３に記載の発明は、請求項１または請求項２に記載の空気入りタイヤにおいて、前記トレッド中央域には、タイヤ周方向に連続する陸部が設けられ、前記急傾斜溝は、タイヤ周方向に対する角度が４５°以下に設定されている、ことを特徴としている。
【００２６】
次に、請求項３に記載の空気入りタイヤの作用を説明する。
【００２７】
トレッド中央域にタイヤ周方向に連続する陸部が設けられているので、トレッド中央域において高い剛性が確保され、操縦安定性が向上する。
【００２８】
また、急傾斜溝のタイヤ周方向に対する角度を４５°以下に設定することで、急傾斜溝がトレッド中央域の水の流線方向とほぼ一致することで、ウエット排水性が向上する。
【００２９】
請求項４に記載の発明は、請求項１乃至請求項３の何れか１項に記載の空気入りタイヤにおいて、前記トレッドのタイヤ赤道面両側には、タイヤ赤道面からトレッド接地端へ向けてトレッド半幅の４０〜６０％の領域内にタイヤ周方向に延びる周方向溝が形成されている、ことを特徴としている。
【００３０】
次に、請求項４に記載の空気入りタイヤの作用を説明する。
【００３１】
トレッドのタイヤ赤道面両側に、タイヤ赤道面からトレッド接地端へ向けてトレッド半幅の４０〜６０％の領域内にタイヤ周方向に延びる周方向溝を設けることにより、排水性が向上し、ウエットハイドロプレーニング性能が更に向上する。
【００３２】
なお、周方向溝の配置位置が上記領域よりもタイヤ赤道面側に配置されると、トレッド中央域の十分な排水性が得られなくなる。
【００３３】
一方、周方向溝の配置位置が上記領域よりもトレッド接地端側に配置されると、周方向溝より外側のブロックの剛性が低くなり、操縦安定性、片落ち摩耗が悪化する。
【００３４】
請求項５に記載の発明は、請求項１乃至請求項４の何れか１項に記載の空気入りタイヤにおいて、前記急傾斜溝は、タイヤ赤道面側端部付近が溝長手方向中間部分よりも幅広に設定されている、ことを特徴としている。
【００３５】
次に、請求項５に記載の空気入りタイヤの作用を説明する。
【００３６】
急傾斜溝のタイヤ赤道面側端部付近を溝長手方向中間部分よりも幅広に設定すると、トレッド中央部の面圧が高くなり、排水性を高くすることができる。なお、トレッド中央部は、回転接地時に最初に水圧抵抗を受けるため、中央の面圧は重要である。
【発明の効果】
【００３７】
以上説明したように請求項１に記載の空気入りタイヤは上記構成としたので、ウエット性能を犠牲にせずに、パターンノイズ及び操縦安定性を確保することができる、という優れた効果を有する。
【００３８】
請求項２に記載の空気入りタイヤは上記の構成としたので、ピッチずらしの設定を容易に行なえる。
【００３９】
請求項３に記載の空気入りタイヤは上記の構成としたので、操縦安定性が向上すると共に、ウエット排水性が向上する、という優れた効果を有する。
【００４０】
請求項４に記載の空気入りタイヤは上記の構成としたので、ウエットハイドロプレーニング性能が更に向上する、という優れた効果を有する。
【００４１】
請求項５に記載の空気入りタイヤは上記の構成としているので、ウエット排水性が向上する、という優れた効果を有する。
【発明を実施するための最良の形態】
【００４２】
以下、図面を参照して本発明の実施の形態の一例を詳細に説明する。
【００４３】
図１に示すように、空気入りタイヤ１０のトレッド１２には、各トレッド接地端１２Ｅ側に、タイヤ軸方向（矢印Ｗ方向）に対して傾斜する緩傾斜溝１４がタイヤ周方向（矢印Ａ方向はタイヤ回転方向）に一定の間隔（ピッチ）を空けて複数形成されている。
【００４４】
タイヤ赤道面ＣＬの左側の緩傾斜溝１４は左上がりに傾斜し、タイヤ赤道面ＣＬの右側の緩傾斜溝１４は右上がりに傾斜している。
【００４５】
緩傾斜溝１４は、タイヤ軸方向外側がトレッド接地端１２に開口している。
【００４６】
ここで、タイヤ赤道面ＣＬを挟んで左側の緩傾斜溝１４の配置個数と右側の緩傾斜溝１４の配置個数とは同一である。
【００４７】
また、パターンノイズを良化するために、タイヤ赤道面ＣＬの左側の緩傾斜溝１４とタイヤ赤道面ＣＬの右側の緩傾斜溝１４とは、図１及び溝を簡略化した図２（Ａ）に示すように、タイヤ幅方向に並ばないように、タイヤ赤道面ＣＬを挟んで左側の緩傾斜溝１４と右側の緩傾斜溝１４とはタイヤ周方向に位相差を設けて配置されている。
【００４８】
なお、図２（Ａ）において、Ｐ１は緩傾斜溝１４の周方向のピッチ、Ｐ２は後述する急傾斜溝１６の周方向のピッチを示している。また本実施形態において、Ｐ２＝２・Ｐ１である。
【００４９】
本実施形態では、例えば、タイヤ赤道面ＣＬの左側の緩傾斜溝１４のタイヤ周方向位置が、その右側の２つの緩傾斜溝１４の中央部分のタイヤ周方向位置となるように位相差を設けている（即ち、右側と左側は１／２Ｐ１のズレ）。
【００５０】
これら緩傾斜溝１４のタイヤ赤道面ＣＬ側には、タイヤ幅方向外側に隣接する緩傾斜溝１４と同一方向に傾斜し、かつ緩傾斜溝１４よりもタイヤ周方向に対する角度が小さく設定された急傾斜溝１６がタイヤ周方向に間隔を空けて複数形成されている。
【００５１】
タイヤ赤道面ＣＬを挟んで左側の急傾斜溝１６の配置個数と右側の急傾斜溝１６の配置個数とは同一であるが、配置個数は緩傾斜溝１４の配置個数の１／２である。
【００５２】
本実施形態では、図１に示すように、１本の急傾斜溝１６に対し、２本の緩傾斜溝１４が接続されており、２本の緩傾斜溝１４のちの１本は周方向溝１８を介して接続されている。
【００５３】
急傾斜溝１６のタイヤ軸方向外側端部は、一方（タイヤ回転方向とは反対方向）の緩傾斜溝１４の長手方向中間部分（周方向溝１８寄り）に接続され、他方（タイヤ回転方向）の緩傾斜溝１４のタイヤ軸方向内側端部が周方向溝１８を介して急傾斜溝１６の長手方向中間部分に接続されている。
【００５４】
周方向溝１８は、タイヤ赤道面ＣＬからトレッド接地端１２Ｅへ向けてトレッド半幅（ＴＷ／２）の４０〜６０％の領域内に設けることが好ましい。
【００５５】
なお、急傾斜溝１６に接続されている一方の緩傾斜溝１４と他方の緩傾斜溝１４とは、急傾斜溝１６と略平行とされた急傾斜副溝２０を介して連結されている。
【００５６】
タイヤ赤道面ＣＬの左側の急傾斜溝１６と、タイヤ赤道面ＣＬの右側の急傾斜溝１６とは、タイヤ軸方向外側端部分では、図２（Ａ）に示すように、１／４Ｐ２分だけタイヤ周方向に位相差が付けられている。
【００５７】
しかし、実施形態では、図１、及び図２に示すように、タイヤ赤道面ＣＬの左側の急傾斜溝１６が、タイヤ赤道面ＣＬの右側の急傾斜溝１６よりも相対的に長く設定されているため、タイヤ赤道面ＣＬの左側の急傾斜溝１６の端部と、タイヤ赤道面ＣＬの右側の急傾斜溝１６の端部とは、１／２Ｐ２分タイヤ周方向に位相差が付けられている。
【００５８】
なお、タイヤ赤道面ＣＬの両側の急傾斜溝１６は、タイヤ赤道面ＣＬ側の端部が他の溝に接続せずに陸部内で終端しているため、タイヤ赤道面ＣＬ近傍において、陸部２２はタイヤ周方向に連続している。
【００５９】
なお、タイヤ赤道面ＣＬの左側の急傾斜溝１６はタイヤ赤道面ＣＬ側へ延長されているので、タイヤ赤道面ＣＬの左側の急傾斜溝１６の端部は、タイヤ赤道面ＣＬの右側の急傾斜溝１６の端部よりもタイヤ赤道面ＣＬ側に近い。
【００６０】
したがって、タイヤ赤道面ＣＬの左側の急傾斜溝１６の端部とタイヤ赤道面ＣＬの右側の急傾斜溝１６の端部との中心線ＲＣＬ（タイヤセンターにてタイヤ周方向に連続する陸部分の見かけの中心線）は、タイヤ赤道面ＣＬに対して図面右側に若干変位していることになる。
【００６１】
トレッド幅ＴＷをタイヤ軸方向に３等分したときのトレッド１２の中央部分をトレッド中央域１２Ｃ、トレッド中央域１２Ｃの両側をトレッド両側域１２Ｓとしたときに、トレッド中央域１２Ｃには急傾斜溝１６が配置され、トレッド両側域１２Ｓには急傾斜溝１６の一部分、緩傾斜溝１４、周方向溝１８、及び急傾斜副溝２０が配置されている。
【００６２】
急傾斜溝１６には、タイヤ赤道面ＣＬ側の一部分が幅広とされ、タイヤ軸方向外側の残りの部分が幅狭とされている。
【００６３】
急傾斜溝１６のタイヤ赤道面ＣＬ側の幅広部分の溝幅は、乗用車用タイヤの場合５ｍｍ以上とすることが好ましい。
【００６４】
急傾斜溝１６の幅狭部分に面する陸部２２の蹴り出し縁には、蹴り出し縁面取り部２４が形成されている。
【００６５】
緩傾斜溝１４は、トレッド接地端１２Ｅ付近の一部分が幅広とされ、タイヤ軸方向内側の残りの部分が幅狭とされている。
【００６６】
緩傾斜溝１４の幅狭部分に面する陸部２２の踏み込み縁には、踏み込み縁面取り部２６が形成されている。
【００６７】
なお、急傾斜副溝２０は、急傾斜溝１６の幅狭部分と略同様の幅狭に設定されており、急傾斜副溝２０に面する陸部２２の蹴り出し縁には、蹴り出し縁面取り部２９が形成されている。
【００６８】
蹴り出し縁面取り部２４は、図３の断面図に示すように一定角度で傾斜しているが、アール面取りであっても良く、少なくとも踏面２２Ａよりも低くなっていれば良く、段部であっても良い。
【００６９】
なお、踏み込み縁面取り部２６、及び蹴り出し縁面取り部２９についも、蹴り出し縁面取り部２４と同様の形状に設定される。
【００７０】
急傾斜溝１６は、蹴り出し縁面取り部２４を形成した部分の溝底部側に、溝深さ中間部分よりも溝幅が広く設定された拡幅部分２８を有している、
ここで、急傾斜溝１６に設けられた拡幅部分２８は、図３に示すように蹴り出し縁面取り部２４側に変位して設けられている。
【００７１】
なお、緩傾斜溝１４にも同様の拡幅部分２８（図示せず）が踏み込み縁面取り部２６側に変位して設けられており、急傾斜副溝２０にも同様の拡幅部分２８（図示せず）が蹴り出し縁面取り部２９側に変位して設けられている。
【００７２】
なお、トレッド接地端１２Ｅとは、空気入りタイヤをＪＡＴＭＡ ＹＥＡＲ ＢＯＯＫ（２００３年度版、日本自動車タイヤ協会規格）に規定されている標準リムに装着し、ＪＡＴＭＡ  ＹＥＡＲ  ＢＯＯＫでの適用サイズ・プライレーティングにおける最大負荷能力（内圧−負荷能力対応表の太字荷重）に対応する空気圧（最大空気圧）の１００％の内圧を充填し、最大負荷能力を負荷したときのタイヤ幅方向最外側の端部である。
【００７３】
なお、使用地又は製造地において、ＴＲＡ規格、ＥＴＲＴＯ規格が適用される場合は、リム、空気圧、及び荷重は各々の規格に従う。
【００７４】
また、トレッド幅ＴＷとは、タイヤ幅方向一方側のトレッド接地端１２Ｅから他方側のトレッド接地端１２Ｅまでのタイヤ幅方向に沿って計測した寸法である。
（作用）
次に、本実施形態の空気入りタイヤ１０の作用を説明する。
【００７５】
本実施形態の空気入りタイヤ１０では、トレッド中央側に急傾斜溝１６を配し、その外側に緩傾斜溝１４を配置した方向性パターンとし、更に周方向溝１８及び急傾斜副溝２０を配置したので、接地面内の水をスムーズに排水でき、高いウエット性能が得られる。
【００７６】
また、タイヤ赤道面ＣＬの一方側の緩傾斜溝１４と他方側の緩傾斜溝１４とが周方向に位相差を設けて配置されると共に、タイヤ赤道面ＣＬの一方側の急傾斜溝１６と他方側の急傾斜溝１６とが周方向に位相差を設けて配置されているので、パターンノイズを良化できる。
【００７７】
また、タイヤ赤道面ＣＬ上においては陸部２２が周方向に連続しており、かつ急傾斜溝１６のタイヤ赤道面ＣＬ側端部は、タイヤ赤道面ＣＬの左右で１／２Ｐ２の位相差を設けて配置されているので、トレッド１２のセンター部分の剛性が高く、かつ均一となり、高い操縦安定性が得られる。
【００７８】
なお、厳密には、急傾斜溝１６のタイヤ赤道面ＣＬ側部分において左右非対称になるが、タイヤ赤道面ＣＬ側の角度がハイアングルなため、例えば、図２（Ｂ）に示すように、周方向に対する角度θが例えば２０°であれば、ピッチＰ２が６０ｍｍで、タイヤ赤道面ＣＬ左側の端部がタイヤ赤道面ＣＬ側へ７．５ｍｍ、タイヤ赤道面ＣＬ右側の端部がタイヤ赤道面ＣＬから離れる側へ７．５ｍｍずれている場合、周方向に連続する陸部分の見かけの中心線ＲＣＬは、タイヤ赤道面ＣＬに対して２．２５ｍｍのオフセットに過ぎず（例えば１７０ｍｍのトレッド幅ＴＷに対しては１．２％の量）、実際にはタイヤ性能に非対称の影響は出ない。
【００７９】
また、急傾斜溝１６のタイヤ周方向に対する角度を４５°以下に設定することで、急傾斜溝１６がトレッド中央域１２Ｃの水の流線方向とほぼ一致し、ウエット排水性が向上する。
【００８０】
また、急傾斜溝１６は、タイヤ赤道面ＣＬ側端部付近が幅広に設定されているので、トレッド中央部の面圧が高くなり、排水性を高めることができる。
【００８１】
ここで、周方向溝１８の配置位置が上記領域よりもタイヤ赤道面ＣＬ側に配置されると、トレッド中央域１２Ｃの十分な排水性が得られなくなる。
【００８２】
一方、周方向溝１８の配置位置が上記領域よりもトレッド接地端１２Ｅ側に配置されると、周方向溝１８より外側の陸部２２の剛性が低くなり、操縦安定性、片落ち摩耗が悪化する。
【００８３】
なお、本実施形態では、緩傾斜溝１４のピッチは一定で、急傾斜溝１６のピッチも一定であったが、パターンノイズを良化するために周方向の部分毎に意図的にピッチを異ならせても良い（所謂ピッチバリエーション）。
【００８４】
但し、最大のピッチＰｍａｘと最小のピッチＰｍｉｎとの比Ｐｍｉｎ／Ｐｍａｘは、０．６以上とする。
【００８５】
また、本実施形態では、タイヤ赤道面ＣＬの左側の緩傾斜溝１４と右側の緩傾斜溝１４とは周方向に１／２Ｐ１の位相差を設けているが、本発明においては±１０％以内の変動は許容する。
【００８６】
同様に、本実施形態では、タイヤ赤道面ＣＬの左側の急傾斜溝１６のタイヤ赤道面ＣＬ側端部と右側の急傾斜溝１６のタイヤ赤道面ＣＬ側端部とは周方向に１／２Ｐ２の位相差を設けているが、本発明においては±１０％以内の変動は許容する。
（試験例）
本発明の効果を確かめるために、従来例の空気入りタイヤ２種、本発明の適用された実施例のタイヤ１種を用意し、それぞれのウエットハイドロプレーニング性能、パターンノイズ、及びドライ操縦安定性能を調べた。
【００８７】
・ウエットハイドロプレーニング性能の試験方法、及び評価方法：水深５mmのウエット路を通過時のハイドロプレーニング発生限界速度でのテストドライバーによるフィーリング評価。評価は、従来例を１００とする指数表示としており、数値が大きいほど性能に優れていることを表している。
【００８８】
・パターンノイズの試験方法、及び評価方法：直線平滑路を１００ｋｍ／ｈから慣行したときの車内音のテストドライバーによるフィーリング評価。評価は、従来例を１００とする指数表示としており、数値が大きいほど性能に優れていることを表している。
【００８９】
・ドライ操縦安定性能の試験方法、及び評価方法：ドライ状態のサーキットコースを各種走行モードにてスポーツ走行したときのテストドライバーのフィーリング評価。評価は、従来例を１００とする指数表示としており、数値が大きいほど性能に優れていることを表している。
【００９０】
・実施例のタイヤ：前述した実施形態の空気入りタイヤである。各部の寸法、角度は以下の表１に示す通りである。
【００９１】
・従来例１のタイヤ：図４に示すパターンを有するタイヤ。なお、実施形態と同一構成には同一符号を付している。実施例のタイヤとは溝の位相が異なる。溝の位相は図６参照。
【００９２】
・従来例２のタイヤ：図５に示すパターンを有するタイヤ。なお、実施形態と同一構成には同一符号を付している。実施例のタイヤとは溝の位相が異なる。溝の位相は図７参照。
【００９３】
タイヤの各部の寸法、角度等は表１に示す通りであり、結果は表２に示す通りである。
【００９４】
また、タイヤサイズ、内圧、荷重は以下の通りである。
【００９５】
タイヤサイズ：２０５／５５Ｒ１６
内圧：２３０ｋＰａ
荷重：実車２名乗車相当
【００９６】
【表１】
2005161878.tif 000003
【００９７】
タイヤ赤道面ＣＬに対する中心線ＲＣＬのオフセット寸法は２ｍｍ。
【００９８】
θａ：周方向に対する角度
【００９９】
【表２】
2005161878.tif 000004
【０１００】
試験の結果から、本発明の適用された実施例のタイヤは、ウエット性能を犠牲にせずに、パターンノイズ及び操縦安定性を確保できていることが分かる。
【図面の簡単な説明】
【０１０１】
【図１】本発明の第１の実施形態に係る空気入りタイヤのトレッドの平面図である。
【図２】（Ａ）は第１の実施形態のトレッドの簡略化した溝配置図であり、（Ｂ）はタイヤ赤道面付近の急傾斜溝を簡略化して拡大した溝配置図である。
【図３】傾斜溝の断面図である。
【図４】従来例１に係る空気入りタイヤのトレッドの平面図である。
【図５】従来例２に係る空気入りタイヤのトレッドの平面図である。
【図６】従来例１のトレッドの簡略化した溝配置図である。
【図７】従来例２のトレッドの簡略化した溝配置図である。
【符号の説明】
【０１０２】
１０    空気入りタイヤ
１２Ｅ  トレッド接地端
１２    トレッド
１２Ｃ  トレッド中央域
１２Ｓ         トレッド両側域
１４    急傾斜部分
１６    緩傾斜部分
１８    周方向溝
２２    陸部
【図１】
2005161878.tif 000005
【図２】
2005161878.tif 000006
【図３】
2005161878.tif 000007
【図４】
2005161878.tif 000008
【図５】
2005161878.tif 000009
【図６】
2005161878.tif 000010
【図７】
2005161878.tif 000011